(57)【要約】【課題】噴霧量調整器を上下移動しなくても噴霧量を調整することが出来る噴霧塔装置を提供する。【解決手段】固体板（３１）に対してネジ穴ブロック（２１）を高さ調節可能に取り付けると共にネジ穴ブロック（２１）に対して傾きブロック（１１）を角度調節可能に取り付け、傾きブロック（１１）により塩水ノズル（３）と空気ノズル（４）を一体的に保持する。【効果】固体板（３１）に対してネジ穴ブロック（２１）を取り付ける高さを調節することによって、及び／又は、ネジ穴ブロック（２１）に対して傾きブロック（１１）を取り付ける角度を調節することによって、噴霧口形成器２の高さを変えずに、噴霧量を調整できる。【選択図】図１
2014206473.tif 000002
【特許請求の範囲】
【請求項１】
垂直に立てられた垂直塔（１）と、前記垂直塔（１）の上端に設置された噴霧口形成器（２）と、前記垂直塔（１）の内部空間で且つ前記噴霧口形成器（２）の下方空間に設置され塩水を供給する塩水ノズル（３）と、前記塩水ノズル（３）の先端の下方空間に設置され上方に空気を噴出して前記塩水ノズル（３）から供給された塩水を霧状にして吹き上げる空気ノズル（４）とを具備し、前記塩水ノズル（３）または前記空気ノズル（４）の両方または一方を角度可変に設置したことを特徴とする噴霧塔装置（１００）。
【請求項２】
垂直に立てられた垂直塔（１）と、前記垂直塔（１）の上端に設置された噴霧口形成器（２）と、前記垂直塔（１）の内部空間で且つ前記噴霧口形成器（２）の下方空間に設置され塩水を供給する塩水ノズル（３）と、前記塩水ノズル（３）の先端の下方空間に設置され上方に空気を噴出して前記塩水ノズル（３）から供給された塩水を霧状にして吹き上げる空気ノズル（４）とを具備し、前記塩水ノズル（３）または前記空気ノズル（４）の両方または一方を高さ可変に設置したことを特徴とする噴霧塔装置（１００）。
【発明の詳細な説明】
【技術分野】
【０００１】
本発明は、噴霧塔装置に関し、さらに詳しくは、噴霧量調整器を上下移動しなくても塩水噴霧量を調整することが出来る噴霧塔装置に関する。
【背景技術】
【０００２】
従来、垂直に立てられた垂直塔と、垂直塔の上端に設置された噴霧量調整器と、垂直塔の内部空間の中心近傍で且つ噴霧量調整器の下方空間に塩水を吐出する塩水ノズルと、塩水ノズルの先端の下方に設置され垂直上方に空気を噴出して塩水ノズルから吐出された塩水を霧状にして吹き上げる空気ノズルとを具備した二重噴霧塔が知られている（例えば、特許文献１参照。）。
また、垂直に立てられた垂直塔と、垂直塔の上端に設置された噴霧量調整器と、垂直塔の内部空間で且つ噴霧量調整器の下方空間に塩水を供給する塩水ノズルと、塩水ノズルの先端の下方に設置され垂直上方に空気を噴出して塩水ノズルから供給された塩水を霧状にして吹き上げる空気ノズルと、塩水ノズルに対向して設置され塩水ノズルおよび空気ノズルに向けて洗浄水を吹き掛ける水洗浄ノズルと、塩水ノズルと空気ノズルとを一体的に保持するフードと、空気ノズルと水洗浄ノズルとを一体的に保持するブロックとを具備し、塩水ノズルと空気ノズルと水洗浄ノズルとフードとブロックとが一体物として垂直塔に対して着脱可能である噴霧塔装置が知られている（例えば、特許文献２参照。）。
【先行技術文献】
【特許文献】
【０００３】
【特許文献１】特開平０６−１９４３０２号公報
【特許文献２】特許第４９８７０４４号公報
【発明の概要】
【発明が解決しようとする課題】
【０００４】
上記従来の二重噴霧塔や噴霧塔装置では、噴霧量調整器を上下移動することにより垂直塔上端の噴霧口の面積を調整し、塩水噴霧量を調整していた。
しかし、噴霧量調整器を最高位置まで上げた高さよりも試験室の天井を高くしなければならず、噴霧量調整器を最高位置よりも低くして試験する場合には無駄な空間が試験室に生じてしまう問題点があった。噴霧量調整器を上下移動すると、噴霧口高さが変化してしまう問題点があった。
さらに、従来の二重噴霧塔や噴霧塔装置では、噴霧量調整器を上下移動して垂直塔上端の噴霧口の面積を調整し、塩水噴霧量を調整していた。
そこで、本発明の目的は、噴霧量調整器を上下移動しなくても塩水噴霧量を調整することが出来る噴霧塔装置を提供することにある。
【課題を解決するための手段】
【０００５】
第１の観点では、本発明は、垂直に立てられた垂直塔（１）と、前記垂直塔（１）の上端に設置された噴霧口形成器（２）と、前記垂直塔（１）の内部空間で且つ前記噴霧口形成器（２）の下方空間に設置され塩水を供給する塩水ノズル（３）と、前記塩水ノズル（３）の先端の下方空間に設置され上方に空気を噴出して前記塩水ノズル（３）から供給された塩水を霧状にして吹き上げる空気ノズル（４）とを具備し、前記塩水ノズル（３）または前記空気ノズル（４）の両方または一方を角度可変に設置したことを特徴とする噴霧塔装置（１００）を提供する。
上記第１の観点による噴霧塔装置では、塩水ノズル（３）または空気ノズル（４）の角度を調整することにより塩水噴霧量を調整することが出来る。従って、噴霧量調整器を上下移動する必要がなくなり、噴霧塔装置の高さを一定に出来るので、試験室に無駄な空間が生じてしまう問題点を解消できる。また、噴霧口高さが変化してしまう問題点を解消できる。
【０００６】
第２の観点では、本発明は、垂直に立てられた垂直塔（１）と、前記垂直塔（１）の上端に設置された噴霧口形成器（２）と、前記垂直塔（１）の内部空間で且つ前記噴霧口形成器（２）の下方空間に設置され塩水を供給する塩水ノズル（３）と、前記塩水ノズル（３）の先端の下方空間に設置され上方に空気を噴出して前記塩水ノズル（３）から供給された塩水を霧状にして吹き上げる空気ノズル（４）とを具備し、前記塩水ノズル（３）または前記空気ノズル（４）の両方または一方を高さ可変に設置したことを特徴とする噴霧塔装置（１００）を提供する。
上記第２の観点による噴霧塔装置では、塩水ノズル（３）または空気ノズル（４）の高さを調整することにより塩水噴霧量を調整することが出来る。従って、噴霧量調整器を上下移動する必要がなくなり、噴霧塔装置の高さを一定に出来るので、試験室に無駄な空間が生じてしまう問題点を解消できる。また、噴霧口高さが変化してしまう問題点を解消できる。
【発明の効果】
【０００７】
本発明の噴霧塔装置によれば、噴霧量調整器を上下移動しなくても塩水噴霧量を調整することが出来る。従って、噴霧塔装置の高さを一定に出来るので、試験室に無駄な空間が生じてしまう問題点を解消できる。また、噴霧口高さが変化してしまう問題点を解消できる。
【図面の簡単な説明】
【０００８】
【図１】実施例１に係る噴霧塔装置の断面図である。
【図２】実施例１に係る噴霧塔用ミストノズルを示す断面図である。
【図３】実施例１に係るネジ穴ブロックを示す正面図および右側面図である。
【図４】実施例１に係る噴霧塔装置から噴霧塔用ミストノズルおよびネジ穴ブロックを外した状態を示す断面図である。
【図５】実施例１に係る噴霧塔装置を示す正面図である。
【図６】実施例１に係る噴霧塔装置で噴霧量を調整する状態を示す正面図である。
【図７】実施例１に係る噴霧塔装置で噴霧量を調整する状態を示す断面図である。
【発明を実施するための形態】
【０００９】
以下、図に示す実施の形態により本発明をさらに詳細に説明する。なお、これにより本発明が限定されるものではない。
【実施例】
【００１０】
−実施例１−
図１は、実施例１に係る噴霧塔装置１００の構成を示す断面図である。
この噴霧塔装置１００は、垂直に立てられた円筒体である垂直塔１と、垂直塔１の上端に上下移動可能に設置され噴霧口２ａを形成する噴霧口形成器２と、垂直塔１の内部空間で且つ噴霧口形成器２の下方空間に設置され塩水を供給する塩水ノズル３と、塩水ノズル３の先端の下方空間に設置され上方に空気を噴出して塩水ノズル３から供給された塩水を霧状にして吹き上げる空気ノズル４と、塩水ノズル３に対向して設置され塩水ノズル３および空気ノズル４に向けて洗浄水（真水または塩水）を吹き掛ける水洗浄ノズル５と、塩水ノズル３と空気ノズル４とを一体的に保持するフード６と、空気ノズル４と水洗浄ノズル５とを一体的に保持する傾きブロック１１と、塩水ノズル３の尾端と垂直塔１の底部に設けた塩水溜部１ｃとを連結する吸上管８とを具備している。
【００１１】
垂直塔１の側壁には、空気ノズル４の尾端および水洗浄ノズル５の尾端を外部へ突出するためのノズル取付口１ａが設けられている。空気ノズル４の尾端には圧縮空気管Ａを接続する。また、水洗浄ノズル５の尾端には洗浄水管Ｗを接続する。
【００１２】
ノズル取付口１ａの片側の側壁には、固定板３１が設置されている。固定板３１には、ネジ穴ブロック２１が高さ可変に下ネジ３４および上ネジ３５でネジ止めされている。また、そのネジ穴ブロック２１に、傾きブロック１１が角度可変に下ネジ１４および上ネジ１５でネジ止めされている。
【００１３】
ノズル取付口１ａに対向する垂直塔１の側壁には、塩水ノズル３の尾端を外部へ突出するための貫通長孔１ｂが設けられている。
【００１４】
塩水ノズル３と空気ノズル４と水洗浄ノズル５とフード６と傾きブロック１１とを一体化したユニットを噴霧塔用ミストノズル１０と呼ぶ。
【００１５】
図２は、噴霧塔用ミストノズル１０の断面図である。
傾きブロック１１には、下ネジ１４が貫通する下貫通孔１２と、上ネジ１５が貫通する円弧状長孔１３とが穿設されている。
【００１６】
図３の（ａ）はネジ穴ブロック２１の正面図であり、図３の（ｂ）は同右側面図である。
傾きブロック１１には、下ネジ１４が螺合するネジ穴２２と、上ネジ１５が螺合するネジ穴２３と、下ネジ３４が螺合するネジ穴２４と、上ネジ３５が螺合するネジ穴２５とが設けられている。
【００１７】
図４は、噴霧塔１の断面図である。
固定板３１には、下ネジ３４が貫通する下貫通長孔３２と、上ネジ３５が貫通する上貫通長孔３３とが穿設されている。
【００１８】
図５は、噴霧塔装置１００の正面図である。
図１および図５に示す状態は、固体板３１に対して最も高い位置にネジ穴ブロック２１を取り付けると共に空気ノズル４が垂直上方に向くようにネジ穴ブロック２１に傾きブロック１１を取り付けた状態である。
【００１９】
図６および図７に示す状態は、固体板３１に対して最も低い位置にネジ穴ブロック２１を取り付けると共に空気ノズル４が垂直方向から左側に５°傾くようにネジ穴ブロック２１に傾きブロック１１を取り付けた状態である。
【００２０】
次に動作を説明する。
−塩水噴霧動作−
洗浄水は止めておく。そして、塩水溜部１ｃに例えば５％塩濃度の塩水を溜めておき、空気ノズル４から圧縮空気を吹き出す。これにより、塩水ノズル３から塩水が吸い出され、上方へ塩水霧が吹き上げられる。塩水霧は、垂直塔１と噴霧口形成器２の間の隙間に形成された噴霧口２ａから側方へ噴出される。
固体板３１に対してネジ穴ブロック２１を取り付ける高さを調節することによって、噴霧口形成器２の高さを変えることなく、噴霧量を調整できる。
また、ネジ穴ブロック２１に対して傾きブロック１１を取り付ける角度を調節することによって、噴霧口形成器２の高さを変えることなく、噴霧量を調整できる。
なお、噴霧口形成器２の高さを調節することによる弊害を無視できる場合は、噴霧口形成器２の高さを調節することによって噴霧量を調整してもよい。
【００２１】
−水洗浄動作−
圧縮空気は止めておく。そして、水洗浄ノズル５から洗浄水（真水または塩水）を吐出する。これにより、塩水ノズル３や空気ノズル４の先端部に析出した塩を洗い流すことが出来ると共に塩が析出するのを抑制できる。
【００２２】
実施例１の噴霧塔装置１００によれば、噴霧口形成器２を上下移動しなくても塩水噴霧量を調整することが出来る。従って、噴霧塔装置１００の高さを一定に出来るので、試験室に無駄な空間が生じてしまう問題点を解消できる。また、噴霧口２ａの高さが変化してしまう問題点を解消できる。
【００２３】
−実施例２−
実施例１では塩水ノズル３または空気ノズル４の両方の高さ及び角度を一体的に可変としたが、高さだけを可変としてもよい。この場合、傾きブロック１１とネジ穴ブロック２１とを独立にする必要はないので、両者を一体物とすればよい。
【００２４】
−実施例３−
実施例１では塩水ノズル３または空気ノズル４の両方の高さ及び角度を一体的に可変としたが、角度だけを可変としてもよい。この場合、ネジ穴ブロック２１と固体板３１を独立にする必要はないので、両者を一体物とすればよい。
【００２５】
−実施例４−
実施例１〜３では塩水ノズル３または空気ノズル４の両方の高さ及び／又は角度を一体的に可変としたが、塩水ノズル３または空気ノズル４の一方の高さ及び／又は角度を他方と独立に可変としてもよい。
【産業上の利用可能性】
【００２６】
本発明の噴霧塔装置は、例えば塗装の腐食性を試験するのに利用できる。
【符号の説明】
【００２７】
１                  垂直塔
２                  噴霧口形成器
３                  塩水ノズル
４                  空気ノズル
５                  水洗浄ノズル
６                  フード
８                  吸上管
１０                噴霧塔用ミストノズル
１１                傾きブロック
１２                下貫通孔
１３                円弧状長孔
２１                ネジ穴ブロック
３１                固定板
３２                下貫通長孔
３３                上貫通長孔
１００              噴霧塔装置
【図１】
2014206473.tif 000003
【図２】
2014206473.tif 000004
【図３】
2014206473.tif 000005
【図４】
2014206473.tif 000006
【図５】
2014206473.tif 000007
【図６】
2014206473.tif 000008
【図７】
2014206473.tif 000009